【手続補正書】
【提出日】平成20年9月16日(2008.9.16)
【手続補正１】
【補正対象書類名】明細書
【補正対象項目名】特許請求の範囲
【補正方法】変更
【補正の内容】
【特許請求の範囲】  
【請求項１】  サービスデータを再生する携帯端末装置と、前記端末装置にサービスデータを供給するサービス提供装置とから構成されるサービス提供システムにおいて、
前記サービス提供装置は、携帯端末装置と情報の送受信を行う通信手段と、所定のサービスエリアに対する携帯端末装置の入退場を検出する検出手段と、前記検出手段により、所定のサービスエリアに対する携帯端末装置の入場が検出された場合に、前記通信手段によりサービスデータの再生を許可するサービス許可情報を該携帯端末装置に送信する制御手段とを有し、
前記携帯端末装置は、サービス提供装置と情報の送受信を行う端末通信手段と、サービスデータを再生する再生手段と、前記端末通信手段によりサービス許可情報が受信された場合に、前記再生手段をサービスデータの再生可能状態に設定する端末制御手段とを有することを特徴とするサービス提供システム。
【請求項２】  前記サービスデータは、サービス許可情報の受信前に供給されることを特徴とする請求項１記載のサービス提供システム。
【請求項３】  前記サービスデータは、サービス許可情報の受信後にサービス供給されることを特徴とする請求項１または２のいずれかに記載のサービス提供システム。
【請求項４】  前記端末制御手段は、サービスエリアに対する該携帯端末装置の入退場を示す入退場情報を前記端末通信手段により送信し、
前記検出手段は、前記通信手段により受信された入退場情報に基づいて、サービスエリアに対する携帯端末装置の入退場を検出することを特徴とする請求項１〜３のいずれかに記載のサービス提供システム。
【請求項５】  前記制御手段は、前期検出手段により、所定のサービスエリアに対する携帯端末装置の退場が検出された場合に、前記通信手段によりサービスデータの再生を禁止するサービス終了情報を該携帯端末装置に送信し、
前記端末制御手段は、前記端末通信手段により、サービス終了情報が受信された場合に、前記再生手段をサービスデータの再生禁止状態に設定することを特徴とする請求項１〜４のいずれかに記載のサービス提供システム。
【請求項６】  前記端末制御手段は、サービスエリアに対する該携帯端末装置の一時退場を示す一時退場情報を前記端末通信手段により送信し、
前記制御手段は、前期通信手段により一時退場情報が受信された場合に、携帯端末装置がサービスデータを保持した状態でサービスエリアから一時退場することを許可する一時退場許可情報を前記通信手段により送信し、
前記端末制御手段は、前記端末通信手段により一時退場許可情報が受信された場合に、前記再生手段をサービスデータの再生禁止状態に設定することを特徴とする請求項１〜５のいずれかに記載のサービス提供システム。
【請求項７】  前記端末制御手段は、サービスエリアに対する該携帯端末装置の再入場を示す再入場情報を前記端末通信手段により送信し、
前記制御手段は、前記通信手段により再入場情報が受信された場合に、サービスデータの再生を許可するサービス許可情報を前記通信手段に送信し、
前記端末制御手段は、前記端末通信手段により再入場許可情報が受信された場合に、前記再生手段をサービスデータの再生可能状態に設定することを特徴とする請求項６に記載のサービス提供システム。
【請求項８】  前記サービス提供装置は、携帯端末装置が一時退場したサービスエリアに関する一時退場エリア情報を記憶し、
前記通信手段により前記再入場情報を受信された場合には、前記一時退場エリア情報に基いて、前記携帯端末装置にサービス許可情報を送信するか否かを判断することを特徴とする請求項７記載のサービス提供システム。
【請求項９】  前記サービス提供装置は、広告データを添付してサービスデータを供給し、
前記携帯端末装置は、該サービスデータに広告データを付加して再生することを特徴とする請求項１〜８のいずれかに記載のサービス提供システム。
【請求項１０】  前記端末制御手段は、前記所定のサービスエリア内外においてサービスデータを再生可能を要求することを示す再生制限解除要求を前記端末通信手段により送信し、
前記制御手段は、前記通信手段により再生制限解除要求が受信された場合に、前記所定のサービスエリア内外においてサービスデータの再生を許可することを示す再生制限解除情報を前記通信手段に送信し、
前記端末制御手段は、前記端末通信手段により再生制限解除情報が受信された場合に、前記再生手段を所定のサービスエリア内外においてもサービスデータの再生が可能な状態に設定することを特徴とする請求項１〜９のいずれかに記載のサービス提供システム。
【請求項１１】  前記携帯端末装置は、サービスデータに広告データを付加して再生するか否かを示す広告付加可否情報を前記再生制限解除要求とともに送信し、前記広告付加可否情報に基いて、サービスデータを再生することを特徴とする請求項１０記載のサービス提供システム。
【請求項１２】  前記携帯端末装置は、サービスデータを再生したことを示すデータ再生情報を記憶することを特徴とする請求項１〜１１のいずれかに記載のサービス提供システム。
【請求項１３】  前記携帯端末装置は、データ再生情報を送信し、
前記サービス提供装置は、データ再生情報を記憶することを特徴とする請求項１２記載のサービス提供システム。
【請求項１４】  サービス提供装置からサービスデータが供給される携帯端末装置であって、
前記サービス提供装置と情報の送受信を行う端末通信手段と、
前記サービスデータを再生する再生手段と、
前記端末通信手段により、所定のサービスエリアに対する携帯端末装置の入場が検出され、サービスデータの再生を許可するサービス許可情報が受信された場合に、前記再生手段をサービスデータの再生可能状態に設定する端末制御手段とを有し、
前記サービスデータは、サービス許可情報の受信前に供給されることを特徴とする携帯端末装置。
【請求項１５】  前記端末制御手段は、前記端末通信手段により、所定のサービスエリアに対する携帯端末装置の退場が検出され、サービスデータの再生を禁止するサービス終了情報が受信された場合に、前記再生手段をサービスデータの再生禁止状態に設定することを特徴とする請求項１４に記載の携帯端末装置。
【手続補正２】
【補正対象書類名】明細書
【補正対象項目名】０００６
【補正方法】変更
【補正の内容】
【０００６】
【課題を解決するための手段】
本発明は、サービスデータを再生する携帯端末装置と、前記端末装置にサービスデータを供給するサービス提供装置とから構成されるサービス提供システムにおいて、
前記サービス提供装置は、携帯端末装置と情報の送受信を行う通信手段と、所定のサービスエリアに対する携帯端末装置の入退場を検出する検出手段と、前記検出手段により、所定のサービスエリアに対する携帯端末装置の入場が検出された場合に、前記通信手段によりサービスデータの再生を許可するサービス許可情報を該携帯端末装置に送信する制御手段とを有し、
前記携帯端末装置は、サービス提供装置と情報の送受信を行う端末通信手段と、サービスデータを再生する再生手段と、前記端末通信手段によりサービス許可情報が受信された場合に、前記再生手段をサービスデータの再生可能状態に設定する端末制御手段とを有することを特徴とするサービス提供システムである。
【手続補正３】
【補正対象書類名】明細書
【補正対象項目名】０００７
【補正方法】変更
【補正の内容】
【０００７】
本発明に従えば、サービス提供装置は、サービスデータが供給されている携帯端末装置のサービスエリアへの入場が検出されると、サービス許可情報を当該携帯端末装置に送信し、携帯端末装置は、サービス許可情報に基いて、再生手段をサービスデータの再生可能状態に設定する。これによって携帯端末装置は、サービスエリア内でサービスデータを再生することができる。
【手続補正４】
【補正対象書類名】明細書
【補正対象項目名】０００８
【補正方法】変更
【補正の内容】
【０００８】
また本発明は、前記サービスデータは、サービス許可情報の受信前に供給されることを特徴とする。
本発明に従えば、サービスデータは、サービス許可情報の受信前にサービス提供装置から供給されるので、携帯端末装置は、サービス許可情報を受信すると、速やかにサービスデータの再生をすることができる。
【手続補正５】
【補正対象書類名】明細書
【補正対象項目名】０００９
【補正方法】変更
【補正の内容】
【０００９】
また本発明は、前記サービスデータは、サービス許可情報の受信後にサービス供給されることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
サービスデータは、サービス提供装置が携帯端末装置にサービス許可情報を送信した後にサービス提供装置から供給されるので、携帯端末装置がサービスデータを保持した状態でサービスエリアに入場せずに、サービスデータを持ち去られる危険性を回避することができ、確実にサービスエリア内だけで再生することができる。
【手続補正８】
【補正対象書類名】明細書
【補正対象項目名】００１２
【補正方法】変更
【補正の内容】
【００１２】
また本発明は、前記端末制御手段は、サービスエリアに対する該携帯端末装置の入退場を示す入退場情報を前記端末通信手段により送信し、
前記検出手段は、前記通信手段により受信された入退場情報に基づいて、サービスエリアに対する携帯端末装置の入退場を検出することを特徴とする。
【手続補正９】
【補正対象書類名】明細書
【補正対象項目名】００１３
【補正方法】変更
【補正の内容】
【００１３】
本発明に従えば、携帯端末装置の端末制御手段は、入退場情報を端末通信手段により送信し、サービス提供装置の検出手段は、携帯端末装置からの入退場情報を通信手段により受信することで、携帯端末装置のサービスエリアに対する入退場を検出するので、サービス提供装置は、携帯端末装置のサービスエリアに対する入退場を確実に検出することができる。
また本発明は、前記制御手段は、前期検出手段により、所定のサービスエリアに対する携帯端末装置の退場が検出された場合に、前記通信手段によりサービスデータの再生を禁止するサービス終了情報を該携帯端末装置に送信し、
前記端末制御手段は、前記端末通信手段により、サービス終了情報が受信された場合に、前記再生手段をサービスデータの再生禁止状態に設定することを特徴とする。
本発明に従えば、サービス提供装置は、携帯端末装置のサービスエリアからの退場が検出されると、サービス終了情報を当該携帯端末装置に送信し、携帯端末装置は、サービス終了情報に基いて、再生手段をサービスデータの再生禁止状態に設定する。
【手続補正１０】
【補正対象書類名】明細書
【補正対象項目名】００１４
【補正方法】変更
【補正の内容】
【００１４】
また本発明は、前記端末制御手段は、サービスエリアに対する該携帯端末装置の一時退場を示す一時退場情報を前記端末通信手段により送信し、
前記制御手段は、前期通信手段により一時退場情報が受信された場合に、携帯端末装置がサービスデータを保持した状態でサービスエリアから一時退場することを許可する一時退場許可情報を前記通信手段により送信し、
前記端末制御手段は、前記端末通信手段により一時退場許可情報が受信された場合に、前記再生手段をサービスデータの再生禁止状態に設定することを特徴とする。
【手続補正１１】
【補正対象書類名】明細書
【補正対象項目名】００１５
【補正方法】変更
【補正の内容】
【００１５】
本発明に従えば、携帯端末装置は、サービスエリアから一時的に退場するときには一時退場情報をサービス提供装置に送信し、サービス提供装置は受信した一時退場情報に基いて、一時退場許可情報を前記携帯端末装置に送信し、携帯端末装置は、受信した一時退場許可情報に基いて、サービスデータを保持する状態で再生手段をサービスデータの再生禁止状態に設定する。このように携帯端末装置は、サービスエリアを一時的に退場するときには、サービスデータの再生禁止状態に設定するので、保持しているサービスデータのサービスエリア外での再生を防止することができる。
また本発明は、前記端末制御手段は、サービスエリアに対する該携帯端末装置の再入場を示す再入場情報を前記端末通信手段により送信し、
前記制御手段は、前記通信手段により再入場情報が受信された場合に、サービスデータの再生を許可するサービス許可情報を前記通信手段に送信し、
前記端末制御手段は、前記端末通信手段により再入場許可情報が受信された場合に、前記再生手段をサービスデータの再生可能状態に設定することを特徴とする。
本発明に従えば、携帯端末装置は、サービスエリアに再度入場するときには再入場情報を送信し、サービス提供装置は、再入場情報に基いて、サービス許可情報を送信し、携帯端末装置は、サービス許可情報に基いて、再生手段をサービスデータの再生可能状態に設定する。
【手続補正１２】
【補正対象書類名】明細書
【補正対象項目名】００１６
【補正方法】変更
【補正の内容】
【００１６】
このように携帯端末装置は、サービスデータを保持する状態で、サービスエリアから一時的に退場して、サービスエリアに再度入場するので、サービスエリアに再入場するときにサービスデータの供給をする必要がなく、サービスエリアに再度入場したときに速やかにサービスデータを再生することができる。
【手続補正１３】
【補正対象書類名】明細書
【補正対象項目名】００１７
【補正方法】変更
【補正の内容】
【００１７】
また本発明は、前記サービス提供装置は、携帯端末装置が一時退場したサービスエリアに関する一時退場エリア情報を記憶し、
前記通信手段により前記再入場情報を受信された場合には、前記一時退場エリア情報に基いて、前記携帯端末装置にサービス許可情報を送信するか否かを判断することを特徴とする。
【手続補正１４】
【補正対象書類名】明細書
【補正対象項目名】００１９
【補正方法】変更
【補正の内容】
【００１９】
また本発明は、前記サービス提供装置は、広告データを添付してサービスデータを供給し、
前記携帯端末装置は、該サービスデータに広告データを付加して再生することを特徴とする。
【手続補正１５】
【補正対象書類名】明細書
【補正対象項目名】００２１
【補正方法】変更
【補正の内容】
【００２１】
また本発明は、前記端末制御手段は、前記所定のサービスエリア内外においてサービスデータを再生可能を要求することを示す再生制限解除要求を前記端末通信手段により送信し、
前記制御手段は、前記通信手段により再生制限解除要求が受信された場合に、前記所定のサービスエリア内外においてサービスデータの再生を許可することを示す再生制限解除情報を前記通信手段に送信し、
前記端末制御手段は、前記端末通信手段により再生制限解除情報が受信された場合に、前記再生手段を所定のサービスエリア内外においてもサービスデータの再生が可能な状態に設定することを特徴とする。
【手続補正１６】
【補正対象書類名】明細書
【補正対象項目名】００２３
【補正方法】変更
【補正の内容】
【００２３】
また本発明は、前記携帯端末装置は、サービスデータに広告データを付加して再生するか否かを示す広告付加可否情報を前記再生制限解除要求とともに送信し、前記広告付加可否情報に基いて、サービスデータを再生することを特徴とする。
【手続補正１７】
【補正対象書類名】明細書
【補正対象項目名】００２５
【補正方法】変更
【補正の内容】
【００２５】
また本発明は、前記携帯端末装置は、サービスデータを再生したことを示すデータ再生情報を記憶することを特徴とする。
【手続補正１８】
【補正対象書類名】明細書
【補正対象項目名】００２７
【補正方法】変更
【補正の内容】
【００２７】
また本発明は、前記携帯端末装置は、データ再生情報を送信し、
前記サービス提供装置は、データ再生情報を記憶することを特徴とする。
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】変更
【補正の内容】
【００３３】
また本発明は、サービス提供装置からサービスデータが供給される携帯端末装置であって、
前記サービス提供装置と情報の送受信を行う端末通信手段と、
前記サービスデータを再生する再生手段と、
前記端末通信手段により、所定のサービスエリアに対する携帯端末装置の入場が検出され、サービスデータの再生を許可するサービス許可情報が受信された場合に、前記再生手段をサービスデータの再生可能状態に設定する端末制御手段とを有し、
前記サービスデータは、サービス許可情報の受信前に供給されることを特徴とする携帯端末装置である。
また本発明は、前記端末制御手段は、前記端末通信手段により、所定のサービスエリアに対する携帯端末装置の退場が検出され、サービスデータの再生を禁止するサービス終了情報が受信された場合に、前記再生手段をサービスデータの再生禁止状態に設定することを特徴とする。